(57)【要約】  防着板（３）およびシャッタ（４）の少なくとも一部は、複数個の小片（３ａ・３ｂ・４ａ・４ｂ）が連結されてなり、小片（３ａ・３ｂ・４ａ・４ｂ）の各々には、小片同士を連結および分解できる連結部が備えられている。
2012073908.tif 000002
【特許請求の範囲】
【請求項１】
蒸着室において、蒸着源に備えられた蒸着材料収納部から放出された蒸着粒子を、基板上に蒸着させる蒸着装置であって、
上記蒸着材料収納部から第１の方向に放出される蒸着粒子は、上記基板上に蒸着され、
上記第１の方向とは異なる第２の方向に放出される蒸着粒子は、上記蒸着装置から取り外しできる第１の部材に蒸着され、
上記第１の部材の少なくとも一部は、複数個の小片が連結されてなり、
上記小片の各々には、上記小片同士を連結および分解できる連結部が備えられていることを特徴とする蒸着装置。
【請求項２】
所定期間においては、少なくとも上記蒸着材料収納部から第１の方向に放出される蒸着粒子は、上記蒸着材料収納部と上記基板との間に備えられ、且つ、上記蒸着装置から取り外しできる第２の部材に蒸着され、
上記第２の部材の少なくとも一部は、複数個の上記小片が連結されてなることを特徴とする請求項１に記載の蒸着装置。
【請求項３】
上記第１の部材は、上記蒸着粒子によって上記蒸着室が汚染されるのを防止するための防着板であることを特徴とする請求項１または２に記載の蒸着装置。
【請求項４】
上記第１の部材は、上記蒸着材料収納部から蒸着粒子が放出される開口部と上記基板との間に備えられ、且つ、上記基板の法線方向に直交する方向に沿って、上記開口部を間に挟むように所定間隔で形成された複数の制御板であることを特徴とする請求項１または２に記載の蒸着装置。
【請求項５】
上記蒸着源は、上記小片が複数個格納された格納部材を格納可能に形成されていることを特徴とする請求項１から４の何れか１項に記載の蒸着装置。
【請求項６】
請求項１から４の何れか１項に記載の蒸着装置に備えられた上記小片が複数個格納された格納部材と、
上記小片および上記格納部材の少なくとも一方を加熱することによって、上記小片に蒸着された蒸着粒子を昇華させる昇華部と、
上記昇華された蒸着粒子を捕捉する第１の捕捉部と、を備えた回収装置。
【請求項７】
請求項１から４の何れか１項に記載の蒸着装置と、
上記蒸着装置に備えられた蒸着室において、蒸着粒子が蒸着された小片が複数個格納された格納部材と、
上記小片および上記格納部材の少なくとも一方を加熱することによって、上記小片に蒸着された蒸着粒子を昇華させる昇華部と、
上記昇華された蒸着粒子を捕捉する第１の捕捉部と、を備えた回収装置。
【請求項８】
上記第１の捕捉部は、上記蒸着装置に備えられた蒸着材料収納部に連結されており、
上記第１の捕捉部を捕捉した蒸着粒子の昇華温度以上で加熱することによって、上記蒸着材料収納部に上記捕捉した蒸着粒子を供給することを特徴とする請求項７に記載の回収装置。
【請求項９】
上記第１の捕捉部は、上記蒸着源であることを特徴とする請求項７に記載の回収装置。
【請求項１０】
上記第１の捕捉部には、上記蒸着装置の蒸着源に備えられた蒸着材料収納部に格納できる蒸着材料回収容器が備えられており、
上記蒸着材料回収容器に、上記捕捉した蒸着粒子が回収されることを特徴とする請求項６または７に記載の回収装置。
【請求項１１】
上記小片および上記格納部材の少なくとも一方は、導電性材料で形成されており、通電によるジュール熱によって加熱を行い、上記小片に蒸着された蒸着粒子を昇華させることを特徴とする請求項６から１０の何れか１項に記載の回収装置。
【請求項１２】
上記小片および上記格納部材は、上記昇華部に配置され、
上記昇華部の壁面を加熱することにより、上記小片に蒸着された蒸着粒子を昇華させることを特徴とする請求項６から１０の何れか１項に記載の回収装置。
【請求項１３】
上記小片には、少なくとも２種類の異なる蒸着粒子が蒸着されており、
上記昇華部の壁面は、上記小片に蒸着された１種類の蒸着粒子のみが昇華される温度に加熱されていることを特徴とする請求項１２に記載の回収装置。
【請求項１４】
上記小片には、少なくとも２種類の異なる蒸着粒子が蒸着されており、
上記小片および上記格納部材の少なくとも一方は、上記小片に蒸着された１種類の蒸着粒子のみが昇華される温度に加熱されていることを特徴とする請求項６から１１の何れか１項に記載の回収装置。
【請求項１５】
上記小片には、少なくとも２種類の異なる蒸着粒子が蒸着されており、
上記昇華部と上記第１の捕捉部との間には、分離部が備えられており、
上記分離部は、上記昇華部において昇華された少なくとも２種類の異なる蒸着粒子と接する温度調整が可能な複数の内壁を有するとともに、上記内壁の温度は、上記昇華された少なくとも２種類の異なる蒸着粒子の昇華温度中、最も低い温度以上、２番目に低い温度未満で設定されており、
上記昇華部において昇華された上記少なくとも２種類の異なる蒸着粒子は、上記分離部を介して、上記第１の捕捉部に供給されることを特徴とする請求項６から１２の何れか１項に記載の回収装置。
【請求項１６】
上記分離部の内壁に蒸着した蒸着粒子が１種類である場合には、上記内壁の温度を上記２番目に低い温度以上に設定することにより、上記分離部の内壁に蒸着した蒸着粒子は昇華され、上記第１の捕捉部とは異なる第２の捕捉部に供給されることを特徴とする請求項１５に記載の回収装置。
【請求項１７】
上記分離部の内壁に蒸着した蒸着粒子が、２種類以上である場合には、上記内壁の温度を、上記分離部の内壁に蒸着した２種類以上の蒸着粒子の昇華温度中、最も低い温度以上、２番目に低い温度未満に設定することにより、上記分離部の内壁に蒸着した上記２種類以上の蒸着粒子中、１種類の蒸着粒子のみが昇華され、上記第１の捕捉部とは異なる第２の捕捉部に供給されることを特徴とする請求項１５に記載の回収装置。
【発明の詳細な説明】
【技術分野】
【０００１】
本発明は、不要な部分に蒸着された蒸着材料を回収できる蒸着装置および回収装置に関するものである。
【背景技術】
【０００２】
近年、様々な商品や分野でフラットパネルディスプレイが活用されており、フラットパネルディスプレイのさらなる大型化、高画質化、低消費電力化が求められている。【０００３】
そのような状況下において、有機材料の電界発光（Ｅｌｅｃｔｒｏｌｕｍｉｎｅｓｃｅｎｃｅ；以下、「ＥＬ」と記す）を利用した有機ＥＬ素子を備えた有機ＥＬ表示装置は、全固体型で、低電圧駆動、高速応答性、自発光性、広視野角特性等の点で優れたフラットパネルディスプレイとして、高い注目を浴びている。【０００４】
有機ＥＬ表示装置は、例えば、ＴＦＴ（薄膜トランジスタ）が設けられたガラス基板等からなる基板上に、ＴＦＴに電気的に接続された有機ＥＬ素子が設けられた構成を有している。【０００５】
有機ＥＬ素子は、低電圧直流駆動による高輝度発光が可能な発光素子であり、第１電極、有機ＥＬ層、および第２電極が、この順に積層された構造を有しており、そのうち、第１電極がＴＦＴと電気的に接続されている。【０００６】
また、第１電極と第２電極との間には、上記有機ＥＬ層として、正孔注入層、正孔輸送層、電子ブロッキング層、発光層、正孔ブロッキング層、電子輸送層、電子注入層等を積層させた有機層が設けられている。【０００７】
フルカラーの有機ＥＬ表示装置は、一般的に、赤（Ｒ）、緑（Ｇ）、青（Ｂ）の各色の有機ＥＬ素子をサブ画素として基板上に配列形成してなり、ＴＦＴを用いて、これら有機ＥＬ素子を選択的に所望の輝度で発光させることにより画像表示を行っている。【０００８】
このような有機ＥＬ表示装置の製造においては、少なくとも各色に発光する有機発光材料からなる発光層が、発光素子である有機ＥＬ素子毎に所定のパターンで形成されている。【０００９】
これらの有機ＥＬ層および第２電極を作成する方法としては、例えば、シャドウマスクと称される蒸着用のマスクを用いた真空蒸着法、インクジェット法やレーザ転写法などを適用可能である。【００１０】
そのうち、現在では真空蒸着法を用いるのが最も一般的である。真空蒸着法では、高真空下において、るつぼやボートと呼ばれる加熱用の入れ物に入れられた蒸着材料を加熱し昇華させて、基板上にその蒸着材料の薄膜を堆積させる。【００１１】
その際、所望の領域のみが開口しているシャドウマスクを基板に密着させ、そのシャドウマスクの開口部を介して蒸着することで、所望の領域のみに蒸着膜を形成することができる。【００１２】
しかしながら、上記真空蒸着法の場合、基板上に堆積された蒸着膜以外は、全て材料の損失となり、有機ＥＬ表示装置に備えられる蒸着膜とはならない。【００１３】
すなわち、蒸着材料が入っているるつぼ等の直上に配された基板に向けて蒸着粒子を放出するか否かを決めるシャッタ、蒸着装置のチャンバ内が蒸着材料で汚染されないように、交換可能な状態で設置される防着板、シャドウマスクの非開口部などに付着した蒸着材料は全て無駄となる。【００１４】
一般に第２電極を構成する材料は金属であり、その材料単価は有機ＥＬ層を構成する有機材料に比較して、高価ではないが、有機ＥＬ層を構成する有機材料は、電気伝導性、キャリア輸送性、発光特性、熱的および電気的安定性などを有する特殊な機能性材料であり、その材料単価は非常に高価である。【００１５】
それにも関わらず、上記したように、基板上に堆積される有機材料以外は全て材料の損失となってしまうため、蒸着処理する基板当たりの材料使用量が多く、上記蒸着処理に掛かる費用は高価となり、結果として有機ＥＬ表示装置の原価（コスト）が増大してしまうことになる。【００１６】
このような問題を解決するための方法として、基板以外に付着した材料を回収し、再利用する方法が考えられる。【００１７】
特許文献１にはシャッタに付着した蒸着材料を再加熱とシュラウドでの冷却により収容部にて捕獲する方法が開示されている。【００１８】
また、特許文献２には、シャッタ板に付着した蒸着材料をシャッタ内のヒータにより加熱、融解させ蒸着源に落とし込む方法が開示されている。【００１９】
これらの方法によればシャッタに付着した蒸着材料を回収し再利用することが可能であると記載されている。【００２０】
図１６は、特許文献３に記載の真空蒸着装置２００の概略的な構成を示す図である。【００２１】
図示されているように、真空蒸着装置２００は、内部が真空とされる蒸着室２１１を有しており、蒸着室２１１の内壁に沿っては防着板２１６が配置されている。【００２２】
蒸着室２１１内の上方位置には、被処理基板２２０および蒸着用マスク部材２３０を保持する基板ホルダ２１９が配置されており、蒸着用マスク部材２３０は、被処理基板２２０の被成膜面側の所定位置に重ねられた状態にある。【００２３】
蒸着用マスク部材２３０には、被処理基板２２０に対する蒸着パターンに対応する複数のマスク開口部３１０が形成されている。【００２４】
そして、蒸気流放出口２７０の上部を必要に応じて遮断できるシャッタ部２１５が備えられている。【００２５】
図示されているように、真空蒸着装置２００には、遮断壁２７１と蒸気流放出口２７０とを備えた蒸着材料回収具２１７が蒸気出口２１２ａを覆うように配置され、蒸着源２１２から被処理基板２２０に向かう蒸気流の発散角Ｖ１が制御された状態で蒸着を行った後、蒸着材料回収具２１７を取り出して遮断壁２７１に堆積している蒸着材料を回収し、再利用する方法が開示されている。【００２６】
上記構成によれば、被処理基板２２０以外に堆積する蒸着材料を減らし、すなわち、その分を蒸着材料回収具２１７の遮断壁２７１に付着させることによって、蒸着材料を効率的に回収、再利用することができると記載されている。
【先行技術文献】
【特許文献】
【００２７】
【特許文献１】特開平１０−１６８５５９号公報（１９９８年６月２３日公開）
【特許文献２】特開２００８−１２７６４２号公報（２００８年６月５日公開）
【特許文献３】特開２００８−２２３１０２号公報（２００８年９月２５日公開）
【発明の概要】
【発明が解決しようとする課題】
【００２８】
上記特許文献１および２に記載されている方法によれば、シャッタに付着した蒸着材料を回収し再利用することは可能であるが、その一方でチャンバ内でシャッタ以外の部分に付着した蒸着材料は回収し得ないという問題がある。【００２９】
量産工程では、蒸着速度が安定した後、基板への蒸着処理を多数枚連続的に処理する。したがって、チャンバへの基板の出し入れやシャドウマスクの基板への密着期間というわずかな時間を除いてはほとんど蒸着処理を行っており、換言すればシャッタはほとんどの期間開放状態にあることとなる。【００３０】
そのため、実際の量産工程ではシャッタ以外への蒸着材料の付着量が多く、シャッタに付着した蒸着材料だけの回収では、蒸着材料を効率的に回収、再利用することはできない。【００３１】
また、上記特許文献２では溶解した材料を蒸着源に完全に落とし込む処理（重力に依存した滴下となり、加速できない）が必要となり、このような処理を行うための時間を確保すると、装置のスループットが低下してしまうという問題が生じる。【００３２】
さらには、個々の蒸着源に対し、特許文献１の場合には、シャッタやシュラウドおよび収容部を、特許文献２の場合には、シャッタを作製する際、蒸着源の形状や大きさのまちまちによって、これらの部材についても個々にあった形状や大きさに設計しなければならない。【００３３】
したがって、これらの部材の汎用性は低くなってしまい、結果として装置コストの増大に繋がる。しかも加熱機能を有するシャッタや収容部などの構成物によっても装置コストは増大してしまう。【００３４】
さらに、上記特許文献２の方法の場合は、溶解状態を有する材料にしか適用できないという問題もある。【００３５】
また、上記特許文献３に記載されている方法によっては、遮断壁および被処理基板以外へ付着した材料はその量が減少したとしても回収は不可能になってしまうという問題がある。【００３６】
そして、上述したように、上記特許文献３に記載の構成においても、上記特許文献１および上記特許文献２の場合と同様に、蒸着材料回収具を個々の蒸着源に合わせて個別に設計する必要性に伴う装置コストの増大および蒸着材料回収具という新たな構成物の導入による装置コストの増大も生じてしまう。【００３７】
以上のように、従来の方法では、効率よく、且つ、低コストで蒸着材料を回収することができなかった。【００３８】
本発明は、上記の問題点に鑑みてなされたものであり、効率よく、且つ、低コストで蒸着材料を回収できる蒸着装置と、回収装置とを提供することを目的とする。
【課題を解決するための手段】
【００３９】
本発明の蒸着装置は、上記の課題を解決するために、蒸着室において、蒸着源に備えられた蒸着材料収納部から放出された蒸着粒子を、基板上に蒸着させる蒸着装置であって、上記蒸着材料収納部から第１の方向に放出される蒸着粒子は、上記基板上に蒸着され、上記第１の方向とは異なる第２の方向に放出される蒸着粒子は、上記蒸着装置から取り外しできる第１の部材に蒸着され、上記第１の部材の少なくとも一部は、複数個の小片が連結されてなり、上記小片の各々には、上記小片同士を連結および分解できる連結部が備えられていることを特徴としている。【００４０】
上記の構成によれば、上記基板以外に蒸着される蒸着粒子は、上記蒸着装置から取り外しできる第１の部材に蒸着され、上記第１の部材の少なくとも一部は、複数個の小片が連結されてなり、上記小片の各々には、上記小片同士を連結および分解できる連結部が備えられている構成である。【００４１】
したがって、個々の蒸着装置の蒸着室や蒸着源の大きさ、形状に合わせて、第１の部材を個々に設計、作製する必要がなく、様々な蒸着装置の蒸着室や蒸着源に対して、汎用的な小片を連結して（組み上げで）第１の部材を作製することができる。【００４２】
また、上記第１の部材は、上記蒸着装置から取り外しでき、上記第１の部材を構成する小片同士も容易に分解できる。【００４３】
よって、効率よく、且つ、低コストで蒸着材料を回収できる蒸着装置を実現できる。【００４４】
なお、上記第１の方向とは、上記蒸着材料収納部から放出された蒸着粒子が上記基板に向かう方向中、上記第１の部材によって、遮断されない方向を意味し、上記第２の方向とは、上記第１の方向以外の全ての方向を意味する。【００４５】
本発明の回収装置は、上記の課題を解決するために、上記蒸着装置に備えられた上記小片が複数個格納された格納部材と、上記小片および上記格納部材の少なくとも一方を加熱することによって、上記小片に蒸着された蒸着粒子を昇華させる昇華部と、上記昇華された蒸着粒子を捕捉する第１の捕捉部と、を備えたことを特徴としている。【００４６】
上記の構成によれば、昇華部と第１の捕捉部とが備えられているため、昇華部における蒸着粒子の昇華工程と、上記第１の捕捉部における上記昇華された蒸着粒子を捕捉する工程を分離することができ、回収装置のスループットを向上することができる。【００４７】
本発明の回収装置においては、上記の課題を解決するために、上記蒸着装置と、上記蒸着装置に備えられた蒸着室において、蒸着粒子が蒸着された小片が複数個格納された格納部材と、上記小片および上記格納部材の少なくとも一方を加熱することによって、上記小片に蒸着された蒸着粒子を昇華させる昇華部と、上記昇華された蒸着粒子を捕捉する第１の捕捉部と、を備えたことを特徴としている。【００４８】
上記構成によれば、上記蒸着装置が回収装置に備えられており、上記回収装置の内部で調達した蒸着材料が蒸着された小片を用いて、効率よく、且つ、低コストで蒸着材料を回収することができる。
【発明の効果】
【００４９】
本発明の蒸着装置は、以上のように、上記蒸着材料収納部から第１の方向に放出される蒸着粒子は、上記基板上に蒸着され、上記第１の方向とは異なる第２の方向に放出される蒸着粒子は、上記蒸着装置から取り外しできる第１の部材に蒸着され、上記第１の部材の少なくとも一部は、複数個の小片が連結されてなり、上記小片の各々には、上記小片同士を連結および分解できる連結部が備えられている構成である。【００５０】
また、本発明の回収装置は、以上のように、上記蒸着装置に備えられた小片が複数個格納された格納部材と、上記小片および上記格納部材の少なくとも一方を加熱することによって、上記小片に蒸着された蒸着粒子を昇華させる昇華部と、上記昇華された蒸着粒子を捕捉する第１の捕捉部と、を備えた構成である。【００５１】
また、本発明の回収装置は、以上のように、上記蒸着装置と、上記蒸着装置に備えられた蒸着室において、蒸着粒子が蒸着された小片が複数個格納された格納部材と、上記小片および上記格納部材の少なくとも一方を加熱することによって、上記小片に蒸着された蒸着粒子を昇華させる昇華部と、上記昇華された蒸着粒子を捕捉する第１の捕捉部と、を備えた構成である。【００５２】
それゆえ、効率よく、且つ、低コストで蒸着材料を回収できる蒸着装置と、回収装置とを実現することができる。
【図面の簡単な説明】
【００５３】
【図１】本発明の一実施の形態の真空蒸着装置の概略的な構成を示す図である。
【図２】本発明の一実施の形態の真空蒸着装置において、用いている小片の形状およびその組み上げ方法を示す図である。
【図３】本発明の一実施の形態の真空蒸着装置において、用いることができる小片の他の一例を示す図である。
【図４】本発明の一実施の形態の真空蒸着装置において、用いることができる小片のさらに他の一例を示す図である。
【図５】分解された複数の小片をストッカに配列格納した様子を示す図である。
【図６】図２に示す小片に付着した蒸着材料を回収する本発明の一実施の形態の回収装置の概略的な構成を示す図である。
【図７】本発明の一実施の形態の変形例である回収装置の概略的な構成を示す図である。
【図８】本発明の他の一実施の形態の回収装置の概略的な構成を示す図である。
【図９】本発明のさらに他の一実施の形態の真空蒸着装置の概略的な構成を示す図である。
【図１０】本発明のさらに他の一実施の形態の回収装置の概略的な構成を示す図である。
【図１１】本発明のさらに他の一実施の形態のストッカを格納できる蒸着源を備えた真空蒸着装置の概略的な構成を示す。
【図１２】本発明のさらに他の一実施の形態の制御板が小片で形成されている真空蒸着装置の概略的な構成を示す図である。
【図１３】従来の有機ＥＬ表示装置の表示部を構成する有機ＥＬ素子の断面図である。
【図１４】真空蒸着法によって、基板上にパターン蒸着膜を形成する方法を示した模式図である。
【図１５】有機ＥＬ表示装置の製造工程を示す図である。
【図１６】特許文献３に記載の真空蒸着装置の概略的な構成を示す図である。
【発明を実施するための形態】
【００５４】
以下、図面に基づいて本発明の実施の形態について詳しく説明する。ただし、この実施の形態に記載されている構成部品の寸法、材質、形状、その相対配置などはあくまで一実施形態に過ぎず、これらによってこの発明の範囲が限定解釈されるべきではない。
【００５５】
〔実施の形態１〕
図１３は、有機ＥＬ表示装置の表示部を構成する有機ＥＬ素子の断面図を示したものである。
【００５６】
薄膜トランジスタ（ＴＦＴ）１００が形成された基板１０１上に、層間絶縁膜１０２、第一電極１０３およびエッジカバー１０４が形成されている。
【００５７】
基板１０１としては、例えば、無アルカリガラスやプラスチックなどを用いることができるが、本実施の形態においては、板厚０．７ｍｍの無アルカリガラスを使用した。
【００５８】
そして、層間絶縁膜１０２およびエッジカバー１０４としては、既知の感光性樹脂を用いることができる。上記感光性樹脂としては、例えば、アクリル樹脂やポリイミド樹脂などが挙げられる。
【００５９】
なお、本実施の形態においては、層間絶縁膜１０２およびエッジカバー１０４として、感光性アクリル樹脂を用いた。
【００６０】
また、第一電極１０３は、電極材料をスパッタ法などで形成した後、フォトリソグラフィ技術およびエッチングにより個々の画素に対応してパターン形成されている。
【００６１】
第一電極１０３としては、様々な導電性材料を用いることができるが、基板側に光を放射するボトムエミッション型有機ＥＬ素子の場合、透明または半透明の必要がある。一方、基板とは反対側から光を放射するトップエミッション型有機ＥＬ素子の場合には、第二電極１０７が透明または半透明の必要がある。
【００６２】
また、ＴＦＴは既知の方法にて作製される。なお、本実施の形態においては、ＴＦＴを各画素に形成したアクティブマトリクス型の有機ＥＬ表示装置の製造について述べるが、これに限らずＴＦＴのないパッシブマトリクス型の有機ＥＬ表示装置についても、本発明は適用可能である。
【００６３】
エッジカバー１０４は第一電極１０３の端部で有機ＥＬ層が薄くなり、第二電極１０７との間で短絡するのを防止するために、第一電極１０３の端部を覆うように形成されており、エッジカバー１０４のない部分で第一電極１０３が露出している。この露出部分が各画素の発光部となる。
【００６４】
第一電極１０３上に各有機ＥＬ層を形成する。有機ＥＬ層としては、例えば、正孔注入層および正孔輸送層１０５、発光層（１０６Ｒ・１０６Ｇ・１０６Ｂ）、図示してないが、第二電極１０７と同形状に形成される電子輸送層および電子注入層などが挙げられる。
【００６５】
そして、図示してないが、必要に応じて正孔、電子といったキャリアの流れをせき止めるキャリアブロッキング層が挿入されていてもよい。また、一つの層が複数の機能を有していてもよく、例えば、正孔注入層と正孔輸送層とを兼ねた一つの層を形成してもよい。
【００６６】
本実施の形態においては、第一電極１０３を陽極とし、第一電極１０３側より正孔注入層兼正孔輸送層１０５、発光層（１０６Ｒ・１０６Ｇ・１０６Ｂ）、電子輸送層（未図示）、電子注入層（未図示）、そして第二電極１０７を陰極とした順番で積層した。
【００６７】
なお、第一電極１０３を陰極とする場合には、上記積層順は反転する。
【００６８】
また、本実施の形態においては、ボトムエミッション型有機ＥＬ素子とし、第一電極１０３として、ＩＴＯ（インジウム−スズ酸化物）を用いた。有機ＥＬ層の材料としては、既知の材料を用いることができる。
【００６９】
また、発光層（１０６Ｒ・１０６Ｇ・１０６Ｂ）としては単一材料を用いたもの、あるいはある材料をホスト材料とし、他の材料をゲスト材料またはドーパントとして混ぜ込んだ混合型を用いることができるが、本実施の形態においては、発光層（１０６Ｒ・１０６Ｇ・１０６Ｂ）を単一材料を用いたもので形成した。
【００７０】
以下、図１４および図１５に基づいて、図１３に示した第一電極１０３までが形成された基板１０１上に有機ＥＬ層を形成する方法について説明する。
【００７１】
図１４は真空蒸着法によって、基板上にパターン蒸着膜を形成する方法を示した模式図である。
【００７２】
図示されているように、蒸着源１２０にて蒸着材料を加熱、昇華させる。昇華した蒸着粒子は、所望の位置に開口部１１０ａを有するシャドウマスク１１０を介して図１３に示した第一電極１０３までが形成された基板１０１に到達する。
【００７３】
シャドウマスク１１０は基板１０１に密着されている。これによって、基板１０１の所望の位置に蒸着膜が形成される。
【００７４】
図１３における正孔注入層兼正孔輸送層１０５、電子輸送層、電子注入層および第二電極１０７の場合、表示部全面に製膜を行うため、表示部全面および製膜が必要な領域のみ開口しているオープンマスクをシャドウマスク１１０として用いて、製膜を行う。
【００７５】
一方、同図において、発光層（１０６Ｒ・１０６Ｇ・１０６Ｂ）の製膜を行う場合、当該箇所のみが開口したファインマスクをシャドウマスク１１０として用いて、製膜を行う。
【００７６】
図１５は有機ＥＬ表示装置の製造工程を示したものである。
【００７７】
先ず、ＴＦＴ基板上に第一電極１０３を形成した基板１０１を作製する（Ｓ１）。
【００７８】
そして、基板１０１の上に正孔注入層兼正孔輸送層１０５を真空蒸着法により全面に形成する（Ｓ２、Ｓ３）。
【００７９】
それから、ファインマスクをシャドウマスク１１０として用いて、発光層（１０６Ｒ・１０６Ｇ・１０６Ｂ）を真空蒸着法により所定の箇所に形成する（Ｓ４）。
【００８０】
その後、電子輸送層、電子注入層、第二電極１０７を順に真空蒸着法により形成する（Ｓ５、Ｓ６、Ｓ７）。
【００８１】
以上のように、蒸着が完了した基板に対して、有機ＥＬ素子が大気中の水分や酸素にて劣化しないよう、有機ＥＬ素子の領域（表示部）の封止を行う（Ｓ８）。
【００８２】
封止は、水分や酸素の透過しにくい膜をＣＶＤ法などで形成する方法、ガラス基板などを接着剤などにより貼り合わせる方法などがある。
【００８３】
以上のような工程により、有機ＥＬ表示装置が作製され、外部に形成された駆動回路から、個々の画素にある有機ＥＬ素子に電流を流し発光させることで、所望の表示を行うことができる。
【００８４】
以下、図１に基づいて、上述した図１５に示す有機ＥＬ表示装置の製造工程において、ＴＦＴ基板上に第一電極１０３を形成した基板１０１上に、有機ＥＬ層を形成する際に用いることのできる真空蒸着装置１について説明する。
【００８５】
図１は、真空蒸着装置１の概略的な構成を示す図である。
【００８６】
真空チャンバ５内には、蒸着源１３に備えられた蒸着材料収納部２と、防着板３およびシャッタ４とが配置されている。
【００８７】
蒸着材料収納部２は真空チャンバ５内に一つだけであり、防着板３はチャンバ５内の他の構成物が蒸着粒子の付着によって汚染されるのを防止する。
【００８８】
また、シャッタ４は、蒸着が不必要な時（例えば、安定な蒸着速度を得るまでの時間、基板１０１が存在しない間あるいは基板１０１とシャドウマスク１１０とを位置合わせし、密着させるまでの時間など）に蒸着粒子が真空チャンバ５内に放出（射出）されるのを防止している。すなわち、防着板３の放出口６を開放または遮蔽する役目をもつ。
【００８９】
防着板３およびシャッタ４は、形状が略四角形の小片３ａ・３ｂ・４ａ・４ｂの組み上げにて各々構成されている。
【００９０】
小片３ａ・３ｂ・４ａ・４ｂの大きさは、一辺が略１０ｃｍ、他辺が５〜１０ｃｍであり、板厚が略１ｍｍとなっている。
【００９１】
これらの小片３ａ・３ｂ・４ａ・４ｂを複数枚用いて、所望の全体形状になるように組み上げられている。また、小片３ａ・３ｂ・４ａ・４ｂ同士の間に空隙が生じて、その間を蒸着粒子が通って真空チャンバ５内の他の構成物を汚染しないよう、小片３ａ・３ｂ・４ａ・４ｂ同士は空隙が生じないように組み上げされている。
【００９２】
なお、本実施の形態においては、小片３ａ・３ｂ・４ａ・４ｂの材料としてはステンレス鋼（ＳＵＳ）を用いた。
【００９３】
また、本実施の形態においては、小片３ａ・３ｂ・４ａ・４ｂを下記図２に示す形状で形成したが、これに限らず、組み上げしやすく、後述するストッカに格納しやすい範囲内で自由な形状と大きさを取ることができる。また辺の幾つかが湾曲しているような物でもよい。
【００９４】
図２は、本実施の形態で用いている方法であり、小片３ａ・３ｂ・４ａ・４ｂが略四角形であるが、角部に切り欠きがあり、八角形の形状を成している。
【００９５】
図２の（ａ）に示すような孔（連結部）のあるメス部材と、図２の（ｂ）に示すような突出部（連結部）のあるオス部材を図２の（ｃ）のように噛み合わせることで、組み上げを行う。
【００９６】
例えば、壁面状のチャンバ５内構成物である防着板３やシャッタ４を組み上げる場合、図２の（ｄ）のようにメス部材とオス部材を２次元配列させることで実現することができる。
【００９７】
この際、角部に切り欠きがあるので、小片３ａ・３ｂ・４ａ・４ｂを２次元配列しても部材同士が干渉することなく、構成物を組み上げることができる。
【００９８】
さらに、メス部の孔とオス部の突出部が噛み合っているので、小片が自然に外れたり、構成物が小片に分解してしまうことがない。
【００９９】
図２の（ｄ）の手順を複数回繰り返すことで、任意の大きさの壁面状構成物を作製することができる。
【０１００】
なお、本実施の形態においては、防着板３とともにシャッタ４が備えられた真空蒸着装置１を例に挙げて説明したが、シャッタ４が備えられてない構成にも本発明は適用可能である。
【０１０１】
また、本実施の形態においては、防着板３やシャッタ４の全体を小片３ａ・３ｂ・４ａ・４ｂで構成しているが、その一部のみを小片３ａ・３ｂ・４ａ・４ｂで構成してもよい。
【０１０２】
以上のように、小片３ａ・３ｂ・４ａ・４ｂの各々には、小片同士を連結および分解できる連結部が備えられている。
【０１０３】
図３は、本実施の形態で用いることができる小片の他の例を示している。
【０１０４】
図示されているように、各小片は四角形であり、四辺に折り返しがついている。
【０１０５】
折り返しは、図３の（ａ）に示すように、対向する二辺の折り返し側が同一であり、他二辺が逆側に折り返されている。
【０１０６】
この折り返しを図３の（ｂ）のように噛み合わせることで、組み上げを行う。
【０１０７】
例えば、壁面状のチャンバ５内構成物を組み上げる場合、図３の（ｃ）のように２次元配列させることで実現することができる。
【０１０８】
なお、図中の小片上の数字は層番号を示しており、一番底辺を０層とし、紙面手前になるほど層番号が増える。
【０１０９】
図３の（ｃ）のように小片を積層することで、各小片が干渉することなく、構成物を組み上げることができる。
【０１１０】
さらに、折り返し部が互いに噛み合っているので、小片が自然に外れたり、構成物が小片に分解してしまうことがない。
【０１１１】
図３の（ｄ）にＡ−Ａ’断面、図３の（ｅ）にＢ−Ｂ’断面を示す。
【０１１２】
図中に示した番号は上述した層番号である。図３の（ｃ）のように組み上げた時、図３の（ｄ）に見られるように、第３層と第０層との間に空隙が生じる。但し、蒸着材料収納部から放出された蒸着材料の蒸着流がこの空隙を通過しないように配置すれば、空隙があっても問題はない。
【０１１３】
すなわち、図中に一点鎖線の矢印で示したような、空隙を通過し得る蒸着粒子の飛翔がないように空隙の位置および蒸着源の配置を工夫することで、蒸着材料は空隙を通過することなく、小片で組み上げられた構成物に捕捉される。
【０１１４】
また、この空隙は、小片の板厚、折り返しの長さによって調整することが可能である。例えば、小片の板厚を薄くすることで空隙の幅をより小さくしたり、あるいは、折り返しの長さを長くする（噛み合う範囲を長くする）ことで、空隙への蒸着粒子の入射角をより制限することができる。
【０１１５】
図３の（ｃ）の手順を複数回繰り返すことで、任意の大きさの壁面状構成物を作製することができる。
【０１１６】
図４は、本実施の形態で用いることができる小片のさらに他の例を示している。
【０１１７】
図示されているように、小片は四角形であり、四辺がＬ字型に折られている。但し、角部は図４の（ａ）および図４の（ｂ）のようにＬ字部が省かれている。
【０１１８】
図４の（ｃ）のように裏表を一対として噛み合わせることで、組み上げを行う。
【０１１９】
例えば、壁面状のチャンバ５内構成物を組み上げる場合、図４の（ｄ）のように２次元配列させることで実現することができる。
【０１２０】
角部ではＬ字部が省かれているため、各小片が干渉することなく、構成物を組み上げることができると同時に、噛み合う部分および角部で各小片が重なり合うことで蒸着粒子が通過し得る空隙をなくしている。
【０１２１】
さらに、Ｌ字部が噛み合っているので、小片が自然に外れたり、構成物が小片に分解してしまうことがない。
【０１２２】
なお、Ｌ字型だけでは、小片が外れる虞がある場合には、突起や鉤型の構造をＬ字部に適宜追加することもできる。図４の（ｄ）の手順を複数回繰り返すことで、任意の大きさの壁面状構成物を作製することができる。
【０１２３】
また、本実施の形態で用いることができる小片の組み上げ方法としては、ビスやナットによる小片の組み上げも無論可能である。但し、この場合、ビスやナットが蒸着材料で汚染されることや、構成物の組み上げ、分解に時間を要することから、上記の図２〜図４で説明したような簡便な組み上げ方法を用いることが好ましい。
【０１２４】
さらに、本実施の形態においては、小片３ａ・３ｂ・４ａ・４ｂの材料としてＳＵＳを用いたが、これに限らず、本発明が適用できる範囲内で任意の材料を選択できることは言うまでもない。
【０１２５】
なお、本実施の形態においては、図１５に示す有機ＥＬ表示装置の各製造工程において、各々真空蒸着装置を準備し、小片３ａ・３ｂ・４ａ・４ｂを用いた防着板３およびシャッタ４は、正孔注入層兼正孔輸送層を形成する真空蒸着装置１にてのみ適用した。
【０１２６】
その他の真空蒸着装置のチャンバでは、防着板およびシャッタは、従来のように個々のチャンバ用に設計されたものを用いた。
【０１２７】
勿論、小片３ａ・３ｂ・４ａ・４ｂを用いた防着板３およびシャッタ４を、正孔注入層兼正孔輸送層を形成する真空蒸着装置１の真空チャンバ以外にも適用してもよい。
【０１２８】
上述した図１５の手順で有機ＥＬ表示装置を作製した際、正孔注入層兼正孔輸送層を形成する真空チャンバ５においては、防着板３およびシャッタ４に蒸着材料である当該材料が堆積した。
【０１２９】
そして、正孔注入層兼正孔輸送層を形成する真空チャンバ５を大気開放し、当該蒸着材料が付着した防着板３およびシャッタ４を個々の小片３ａ・３ｂ・４ａ・４ｂに分解して取り出した。
【０１３０】
図５は、分解された複数の小片３ａ・３ｂ・４ａ・４ｂをストッカ７に配列格納した様子を示す図である。
【０１３１】
図示されているように、ストッカ７は、箱型であり、分解された複数の小片３ａ・３ｂ・４ａ・４ｂが差し込んで固定できるようになっている。
【０１３２】
本実施の形態においては、ストッカ７として、内寸は高さ１０ｃｍ、幅１０．５ｃｍ、長さ５０ｃｍであり、小片を３ｍｍピッチで長さ方向に配列できるような溝が形成されているもの用いているが、これに限定されることはない。
【０１３３】
図６は、小片３ａ・３ｂ・４ａ・４ｂに付着した蒸着材料を回収する回収装置１０の概略的な構成を示す図である。
【０１３４】
図示されているように、回収装置１０は、再昇華室（昇華部）１１、収容室１２および図１に示す真空蒸着装置１に備えられた蒸着源１３より構成されており、再昇華室１１と収容室１２、および収容室１２と蒸着源１３は開閉し得る配管１５・１６にて接続されている。
【０１３５】
すなわち、図６においては、図１に示す真空蒸着装置１の蒸着源１３のみを図示しているが、回収装置１０は、真空蒸着装置１と一体的に形成されている。
【０１３６】
小片３ａ・３ｂ・４ａ・４ｂを格納したストッカ７は次に再昇華室１１に入れられる。再昇華室１１は真空度１０−５Ｐａ程度まで真空にすることができ、また当該材料が付着しない温度まで内壁の温度を調整できるようになっている。
【０１３７】
ストッカ７にはヒータ１４が備え付けられ、再昇華室１１を真空にした状態でヒータ１４によってストッカ７および小片３ａ・３ｂ・４ａ・４ｂは加熱される。
【０１３８】
また、再昇華室１１には、温度調整可能な収容室１２が配管１５を介して接続されており、さらに収容室１２は蒸着源１３に接続されている。
【０１３９】
各々の配管１５・１６は開閉することができ、また温度調整することが可能である。また、収容室１２の温度は小片３ａ・３ｂ・４ａ・４ｂから再度昇華された蒸着材料が収容室１２の表面に再付着するような温度に調整されている。
【０１４０】
ヒータ１４によって、ストッカ７および小片３ａ・３ｂ・４ａ・４ｂを加熱し、小片３ａ・３ｂ・４ａ・４ｂに付着した正孔注入層兼正孔輸送層材料が昇華する温度まで温度上昇させ、当該蒸着材料は再昇華室１１の中で、再度昇華した。
【０１４１】
しかし、再昇華室１１の内壁は当該蒸着材料が付着しない温度になっているので、当該蒸着材料は付着しなかった。
【０１４２】
次に、再昇華室１１と収容室１２の間の配管１５を開放し、再昇華した当該蒸着材料を収容室１２に誘導した。なお、昇華した蒸着材料を効率よく再昇華室１１から収容室１２へ誘導するために、図６に図示されているように、ガスフローによりキャリアガスを用いている。
【０１４３】
キャリアガスとしては、昇華した蒸着材料と反応しないよう、不活性ガスを用いている。例えば、Ａｒガスなどである。またキャリアガスは循環させておいてもよい。それにより、収容室１２で捕捉できずにキャリアガスと共に流れて去ってしまった蒸着材料を再度、収容室１２に取り込むことができる。
【０１４４】
なお、キャリアガスがなくても、昇華した蒸着材料を再昇華室１１から収容室１２に十分誘導できるのであれば、ガスフローを用いる必要はない。本実施の形態においては、３０ｓｃｃｍの流量でＡｒガスを流した。
【０１４５】
収容室１２の内壁は当該蒸着材料が付着する温度に調整されているので、収容室１２内に当該蒸着材料が再度付着した。このようにして、全ての当該蒸着材料が小片３ａ・３ｂ・４ａ・４ｂから収容室１２に移るようにした。
【０１４６】
次に再昇華室１１と収容室１２との間の配管１５を閉じ、またストッカ７のヒータ１４を切り、ストッカ７および小片３ａ・３ｂ・４ａ・４ｂの加熱を止めた。同じように、再昇華室１１の温度調整も止めた。
【０１４７】
その後、収容室１２と蒸着源１３との間の配管１６を開き、収容室１２の内壁温度を当該蒸着材料の付着する温度よりも高くしたと同時に、蒸着源１３に備えられた図示してない蒸着材料収納部の温度を当該蒸着材料が付着するような温度にした。それにより、再昇華室１１の小片３ａ・３ｂ・４ａ・４ｂから収容室１２に当該蒸着材料が移ったのと同じように、収容室１２から蒸着源１３に備えられた上記蒸着材料収納部に当該蒸着材料が全て移った。
【０１４８】
最後に、収容室１２と蒸着源１３との間の配管１６を閉じ、収容室１２の温度調整を止めた。
【０１４９】
以上のような工程によって、防着板３およびシャッタ４に付着した正孔注入層兼正孔輸送層材料の回収および再利用をすることができた。このような工程によって回収および再利用を行う回収装置１０を備えた有機ＥＬ蒸着装置を用いて、材料利用効率の高い有機ＥＬ表示装置の作製を行うことができた。
【０１５０】
なお、本実施の形態においては、正孔輸送層兼正孔注入層材料に関して、本発明の方法を適用したがこれに限らず、他の単一材料層に対しても用いることができる。また、第二電極１０７を構成するような金属材料にも適用することができるが、ストッカ７や小片３ａ・３ｂ・４ａ・４ｂ、再昇華室１１、配管１５・１６、収容室１２などを金属材料が昇華する温度にまで耐えられる材料にする必要があり、装置コストとして有利ではない。したがって、金属材料よりも昇華温度の低い有機材料に適用することが望ましい。
【０１５１】
また、本実施の形態においては、ストッカ７をヒータ１４にて加熱したが、これに限らず、再昇華室１１の内壁を加熱することによって、ストッカ７および小片３ａ・３ｂ・４ａ・４ｂを加熱してもよい。その場合、再昇華室１１の温度は少なくとも昇華した蒸着材料が付着する温度よりも高くなるので、別途再昇華室１１の温度を調整する必要がない。
【０１５２】
上記構成によれば、防着板３およびシャッタ４が形状および大きさが制限された小片３ａ・３ｂ・４ａ・４ｂにて構成されているので、真空チャンバ５の形状や大きさに制限されず、如何様な形状や大きさを有する防着板３およびシャッタ４も小片３ａ・３ｂ・４ａ・４ｂで構成することができる。
【０１５３】
すなわち、汎用性の高い小片３ａ・３ｂ・４ａ・４ｂを用いることで、例えば、有機ＥＬの製造に用いられる真空蒸着装置１の製造コストが低減できる。
【０１５４】
なお、本実施の形態においては、防着板３とシャッタ４とを、小片３ａ・３ｂ・４ａ・４ｂにて構成したが、これに限らず、他の構成物にも適用できる。
【０１５５】
また、上記構成によれば、小片３ａ・３ｂ・４ａ・４ｂの大きさが制限されているので、共通のストッカ７を用いることができ、また、再昇華室１１の大きさも真空チャンバ５の形状や大きさに依存せず、共通とすることができる。
【０１５６】
したがって、任意の形状や大きさの防着板やシャッタを用いた場合に比べて、例えば、有機ＥＬの製造に用いられる真空蒸着装置１および回収装置１０の製造コストが低減できる。
【０１５７】
また、上記構成によれば、蒸着源１３と収容室１２を繋ぐ配管１６以外は新たな構成物を真空チャンバ５内に設置する必要がないので、同様に、例えば、有機ＥＬの製造に用いられる真空蒸着装置１を備えた回収装置１０の製造コストが低減できる。
【０１５８】
なお、本実施の形態においては、収容室１２を設置したが、必ずしも収容室１２を設置している必要はない。
【０１５９】
但し、収容室１２を備えていることで、再昇華室１１の稼働タイミングと蒸着源１３の稼働タイミングを分けることができる。
【０１６０】
また、再昇華室１１から収容室１２への移し替えの速度と収容室１２から蒸着源１３への移し替えの速度とを変えられるために過熱による材料劣化を防止できる。
【０１６１】
さらには、再昇華室１１から収容室１２への蒸着材料の移し替えを複数回行うことによって、蒸着の時々によって小片３ａ・３ｂ・４ａ・４ｂに付着していた材料を収容室１２で混合し、その特性バラツキを平均化できる。
【０１６２】
そして、再昇華室１１にて蒸着材料と共に昇華していた不純物を収容室１２で捕獲し、蒸着源１３に届かないようにできる。
【０１６３】
上述したような利点があるため、収容室１２は設けられていることが望ましい。
（変形例１）
上述した回収装置においては、小片３ａ・３ｂ・４ａ・４ｂを格納したストッカ７を設置する再昇華室１１が収容室１２を介してあるいは直接、真空蒸着装置１の蒸着源１３に接続されている例を示したが、真空蒸着装置１の蒸着源１３に接続されておらず、各々が独立していてもよい。
【０１６４】
すなわち、再昇華室１１と収容室１２を備えた回収装置（昇華精製装置）１０ａを真空蒸着装置１と独立して備えることも可能である。この場合にも、実施の形態１で示したような本発明の効果は得ることができる。
【０１６５】
図７は実施の形態１の変形例である回収装置１０ａを示している。図７は、図６において、再昇華室１１と収容室１２のみの構成と同一であるため、説明の便宜上、上記実施の形態１の図面に示した部材と同じ機能を有する部材については、同じ符号を付し、その説明を省略する。
【０１６６】
従来の昇華精製装置においては、容器に詰められた粉体を加熱するので、材料の温度上昇は材料そのものの熱伝導性に依存する部分が多い。また容器の表面付近の材料が過度に加熱され、熱分解を起こす可能性があり、それを避けるためには、攪拌機などの余分な装置が必要となっていた。
【０１６７】
一方、本変形例のような回収装置（昇華精製装置）１０ａにおいては、小片３ａ・３ｂ・４ａ・４ｂの表面に薄く付着した蒸着粒子を小片３ａ・３ｂ・４ａ・４ｂからの熱伝導によって効率よく加熱できるので、材料そのものの熱伝導性に依存する部分が少なく、また攪拌機などの過熱防止装置を付与する必要が無い。そのため、回収装置（昇華精製装置）１０ａの構造を簡素化することができ、装置コストの低減や小型化が可能となる。
【０１６８】
そして、図７のような回収装置（昇華精製装置）１０ａにて回収された蒸着粒子は、蒸着源１３に別途手動で補給される。
【０１６９】
なお、収容室１２には、真空蒸着装置１の蒸着源１３に備えられた蒸着材料収納部２に格納できる蒸着材料回収容器（例えば、るつぼやボートなど）が備えられていてもよい。
【０１７０】
このような構成によれば、蒸着材料が回収された蒸着材料回収容器を真空蒸着装置１に備えられた蒸着材料収納部２に格納して、そのまま使用することができる。
【０１７１】
〔実施の形態２〕
次に、図８に基づいて、本発明の第２の実施形態について説明する。本実施の形態においては、小片（未図示）およびストッカ７ａの少なくとも一方は、導電性を有しており、通電することで加熱できるようになっている点において実施の形態１とは異なっており、その他の構成については実施の形態１において説明したとおりである。説明の便宜上、上記の実施の形態１の図面に示した部材と同じ機能を有する部材については、同じ符号を付し、その説明を省略する。
【０１７２】
図８は、回収装置１０ｂの概略的な構成を示す図である。
【０１７３】
本実施の形態においては、実施の形態１と同様に、正孔注入層兼正孔輸送層材料の製膜用真空蒸着装置の真空チャンバにおいて、防着板とシャッタを小片の組み上げにて作製した。
【０１７４】
小片の形状および大きさは実施の形態１と同様であるが、小片の素材は、本実施の形態においては、タンタル（Ｔａ）とした。
【０１７５】
当該材料が付着した防着板およびシャッタを小片に分解して、小片と同じタンタル素材で作られたストッカ７ａに格納し、再昇華室１１へ入れた。ストッカ７ａおよび小片は真空チャンバ外部から通電できるように電源１７に接続されている。
【０１７６】
再昇華室１１を真空度１０−５Ｐａまで減圧した後、ストッカ７ａに通電を行った。同時に、小片にも通電され、ジュール熱によりストッカ７ａおよび小片の温度が、小片に付着している当該材料の昇華温度以上まで上昇した。それにより小片から蒸着材料が昇華、脱離した。
【０１７７】
その後は、実施の形態１と同様の方法によって、収容室１２にて当該材料を捕集した。
【０１７８】
以上のような工程により、防着板やシャッタに付着した蒸着材料を回収、再利用できるので、有機ＥＬ製造装置として用いることができる材料利用効率の高い真空蒸着装置１および回収装置１０ｂを実現でき、結果として、低コストの有機ＥＬ表示装置を実現できる。
【０１７９】
上記構成によれば、ストッカ７ａおよび小片が導電性であるので、通電によるジュール熱で直接加熱することができ、効率よく小片の温度を上昇させることができる。そのため、より少ないエネルギーで蒸着材料を回収し、再利用することができ、結果として、有機ＥＬ表示装置の製造原価を下げることに寄与し得る。
【０１８０】
なお、本実施の形態においては、ストッカ７ａおよび小片が導電性であったが、これに限らず、ストッカ７ａのみが導電性であってもよい。その場合、ストッカ７ａは通電によるジュール熱で加熱され、小片は伝熱にて加熱される。
【０１８１】
また、小片のみが導電性であってもよい。その場合、小片に直接通電できるように各小片に電気的接続を行っておく必要がある。電気的接続の容易性や小片の温度上昇のエネルギー効率を考えれば、ストッカ７ａおよび小片の両方が導電性であることが好ましい。
【０１８２】
また本実施の形態においては、ストッカ７ａおよび小片の素材をタンタル（Ｔａ）としたがこれに限らず、通電によりジュール熱を発生し、それにより小片に付着した蒸着材料を昇華し得る機能を有する限り、様々な素材を用いることができる。
【０１８３】
〔実施の形態３〕
次に、図９および図１０に基づいて、本発明の第３の実施形態について説明する。本実施の形態においては、混合された蒸着材料を分離、回収し得る機構が回収装置内に設けられている点において実施の形態１および２とは異なっており、その他の構成については実施の形態１および２において説明したとおりである。説明の便宜上、上記の実施の形態１および２の図面に示した部材と同じ機能を有する部材については、同じ符号を付し、その説明を省略する。
【０１８４】
図９は、真空蒸着装置１ａの概略的な構成を示す図である。
【０１８５】
発光層用の真空蒸着装置１ａの真空チャンバ５ａ内には、蒸着源１３ａに備えられた蒸着材料収納部２ａおよび蒸着源１３ｂに備えられた蒸着材料収納部２ｂが配置されており、それぞれに防着板３およびシャッタ４が配置されている。また実施の形態１および２と同様に、真空チャンバ５ａ内全体に対する防着板３も備えている。上記の防着板３およびシャッタ４は、上述したような小片３ａ・３ｂ・４ａ・４ｂの組み上げにて構成されている。
【０１８６】
図９に図示されているように、真空蒸着装置１ａを用いて、基板１０１上に発光層を製膜した。具体的には、正孔注入層兼正孔輸送層を製膜するための図１に示す真空蒸着装置１の真空チャンバ５にて当該材料をＴＦＴ基板上に製膜した。
【０１８７】
その後、発光層の製膜用真空蒸着装置１ａの真空チャンバ５ａにて、ホスト材料およびゲスト材料の２種類からなる発光層を製膜した。蒸着材料収納部２ａからホスト材料を、蒸着材料収納部２ｂからゲスト材料を各々昇華させ、同期間に両蒸着材料収納部２ａ・２ｂに対するシャッタ４を開放することで、基板１０１上に当該材料２種類が混合されて成る膜を作製した。
【０１８８】
なお、ゲスト材料は、ホスト材料からエネルギーを受け取ることで、高効率で発光することができる。
【０１８９】
さらに、電子輸送層、電子注入層および第二電極をその他の真空蒸着装置の真空チャンバにて製膜し、封止することで有機ＥＬ表示装置を作製した。
【０１９０】
上記のような手順にて有機ＥＬ表示装置を作製した時、発光層用の真空チャンバ５ａにおいて、防着板３およびシャッタ４の表面には単独ないし混合した蒸着材料が堆積した。
【０１９１】
図１０は、回収装置１０ｃの概略的な構成を示す図である。
【０１９２】
真空チャンバ５ａを開放し、防着板３およびシャッタ４を小片３ａ・３ｂ・４ａ・４ｂに分解して取り出し、ストッカ７に格納した上で、図１０に示すような再昇華室１１へ入れた。
【０１９３】
ストッカ７および再昇華室１１は実施の形態１と同じであり、収容室１２ａ・１２ｂは蒸着源１３ａに備えられた蒸着材料収納部２ａおよび蒸着源１３ｂに備えられた蒸着材料収納部２ｂに対して各々設けられている。
【０１９４】
また、再昇華室１１と収容室１２の間には、図示されているように、内部に複数の内壁１８ａがてれこ状態で備えられた分離室１８が設けられている。
【０１９５】
分離室１８は、その内壁１８ａが少なくとも蒸着材料が昇華し得る温度まで調整できるようになっている。
【０１９６】
混合された蒸着材料を次のような手順で分離、回収した。
【０１９７】
先ず、ストッカ７内の小片３ａ・３ｂ・４ａ・４ｂを２種類の蒸着材料が共に昇華する温度まで上昇させた。この時、再昇華室１１の内壁温度は、両材料が付着しない温度に保たれている。
【０１９８】
同時に再昇華室１１と分離室１８を繋ぐ配管２０を開放し、昇華した材料を分離室１８に誘導した。分離室１８内の複数の内壁１８ａは昇華温度の高い方の材料は付着し、他方は付着しないような温度に保たれている。
【０１９９】
本実施の形態においては、ゲスト材料の方がホスト材料と比較して昇華温度が高いため、分離室１８の内壁１８ａには、ゲスト材料は付着するがホスト材料は付着しない。
【０２００】
このような状態で分離室１８と収容室１２ａとを繋ぐ配管１９ａを開放した（分離室１８と収容室１２ｂとを繋ぐ配管１９ｂは閉じている）。
【０２０１】
ホスト材料は分離室１８の内壁１８ａに付着しないため、そのまま分離室１８を通過し、収容室１２ａに流入する。収容室１２ａはホスト材料が付着するような温度に設定されているため、結局ホスト材料は収容室１２ａにて捕集された。
【０２０２】
次に、全てのホスト材料が収容室１２ａにて捕集された後、分離室１８と収容室１２ａとの間の配管１９ａを閉じた。もし、再昇華室１１から分離室１８へのゲスト材料の移し替えが完了していれば、再昇華室１１と分離室１８とを繋ぐ配管２０も閉じる。
【０２０３】
そして、分離室１８の内壁１８ａの温度をゲスト材料が昇華する温度まで上昇させた。同時に、分離室１８と収容室１２ｂとを繋ぐ配管１９ｂを開放した。これにより、昇華したゲスト材料は収容室１２ｂへ流入する。収容室１２ｂの温度はゲスト材料が付着する温度に設定されているため、収容室１２ｂにてゲスト材料が捕集された。
【０２０４】
上記のような工程によって、収容室１２ａおよび収容室１２ｂにホスト材料およびゲスト材料をそれぞれ分離して捕集することができた。
【０２０５】
上記捕集したホスト材料およびゲスト材料の収容室１２ａ・１２ｂから図９に示す真空蒸着装置１ａの蒸着源１３ａ・１３ｂに備えられた蒸着材料収納部２ａ・２ｂへの供給は実施の形態１および２と同様であるため、説明を省略する。
【０２０６】
上記構成によれば、防着板３やシャッタ４を構成していた小片３ａ・３ｂ・４ａ・４ｂに２種類の材料が混合して付着していたとしても、昇華温度の違いを利用し、効率的に分離して回収、再利用することができる。したがって、単独の材料のみが付着している小片に対し、回収、再利用する場合に比べて、より一層、材料利用効率を向上することができる。
【０２０７】
なお、本実施の形態においては、２種類の材料が混合して小片３ａ・３ｂ・４ａ・４ｂに付着している場合を示したが、これに限らず、３種類以上の材料が混合して小片に付着していても、本発明の方法を適用することができる。
【０２０８】
各蒸着材料に対して、各々収容室を設けて分離室に接続しておき、各蒸着材料の昇華温度の違いを利用して、分離室の内壁に付着しない材料が１種類のみになるように分離室の内壁の温度を調整にすることで、分離室から１種類の蒸着材料を取り出して特定の収容室に誘導、捕集することができる。この手順を順次繰り返すことで、３種類以上の混合状態に対しても、対応が可能である。
【０２０９】
なお、本実施の形態においては、分離室１８に複数の内壁１８ａをてれこ状態に配置したが、これに限らず、分離室の構造は様々なものとすることができる。例えば、分離室内に網目状のフィルタを多数配置し、付着するべき材料をそれらのフィルタに付着させてもよい。
【０２１０】
但し、分離室の大きさを可能な限り小さくし、効率よく材料を分離室内にて分離させるためには、分離室内に表面積が大きくなるような構造物を形成するほうがよい。また、分離室内で付着して分離されるべき蒸着粒子が分離室内の構造物に衝突することなく収容室へ入り込むことのないように、分離室内において再昇華室からの配管口と収容室への配管口とを結ぶ直線が必ず構造物と交差するような条件にしていることが望ましい。
【０２１１】
本実施の形態において、用いている図示しているようなてれこ状態に複数の内壁１８ａを構成する方法は、上記の条件を簡便に実現する上で有効である。
【０２１２】
なお、本実施の形態においては、分離室１８を設けて混合した蒸着材料を分離したが、これに限らず、分離室１８の機能を再昇華室１１やストッカ７に付与することで、分離室１８を設けないことも可能である。その場合、再昇華室１１あるいはストッカ７、または、その両方の温度調整を行うことで、１種類の蒸着材料のみが昇華している状態を発生させ、その昇華している材料を特定の収容室にて捕集してやればよい。
【０２１３】
但し、再昇華室１１やストッカ７には上述したような分離室１８内の複雑な構造を付与させることは、装置コストや利便性の面で不利であることを考えれば、分離室１８を別途設けることが好ましい。
【０２１４】
なお、昇華温度の非常に近い材料が混合している場合、一方を分離室１８の内壁１８ａに付着させ、他方を付着させないという制御は困難であり、上記構成においては、分離、回収ができない可能性が高い。
【０２１５】
しかしながら、このような場合、混合した材料を一つの蒸着源にて加熱しても、混合比に近い状態で放出されることは容易に推察される。したがって、必ずしも分離する必要はなく、混合材料を昇華させる専用の蒸着源、あるいはそれに接続された収容室に混合したまま回収し、再利用してもよく、実施の形態１および２の構成を適用することができる。
【０２１６】
また、防着板３やシャッタ４に付着した混合材料の混合比はその構成物の設置位置や機能によって、まちまちであると推測されるため、それらを構成していた小片を混在してストッカ７に格納し、再昇華室１１にて昇華させた場合、得られた回収物の混合比は、基板の蒸着時に行っていた混合比と異なる可能性がある。
【０２１７】
したがって、複数の材料が混合したまま回収された回収物を一つの混合材料用蒸着源から放出し、基板に製膜したとしても、所望の混合比を得られない可能性がある。
【０２１８】
そのような場合には、別途単独材料を放出する蒸着源を用意し、混合材料用蒸着源からの放出に合わせて放出量を調整し、共蒸着を行うことで、所望の混合比を有する蒸着膜を基板上に形成できる。
【０２１９】
以上のように、いずれの方法に至ったとしても、本実施の形態の構成によれば、混合した蒸着材料を回収し、再利用することができる。
【０２２０】
〔実施の形態４〕
次に、図１１に基づいて、本発明の第４の実施形態について説明する。本実施の形態においては、外部から接続された再昇華室を有しておらず、代わりにストッカ７を格納できる蒸着源１３ｃを有している点において実施の形態１から３とは異なっており、その他の構成については実施の形態１から３において説明したとおりである。説明の便宜上、上記の実施の形態１から３の図面に示した部材と同じ機能を有する部材については、同じ符号を付し、その説明を省略する。
【０２２１】
図１１は、真空蒸着装置１ｂの概略的な構成を示す図である。
【０２２２】
図示されているように、真空蒸着装置１ｂにおいては、ストッカ７を格納できる蒸着源１３ｃを有している。
【０２２３】
蒸着材料収納部２ｃにはノズル口２１が設けられており、ノズル口２１から被成膜基板１０１に向けて蒸着材料が放出される。
【０２２４】
上記と同様にして、蒸着材料が付着した防着板３およびシャッタ４を小片３ａ・３ｂ・４ａ・４ｂに分解し、ストッカ７に格納する。
【０２２５】
そして、そのストッカ７は蒸着源１３ｃ内に設置される。
【０２２６】
蒸着材料収納部２ｃをヒータ（未図示）で加熱すると、ストッカ７および小片３ａ・３ｂ・４ａ・４ｂが加熱され、蒸着材料収納部２ｃ内で昇華した蒸着材料はノズル口２１を通過して真空チャンバ５内に放出される。
【０２２７】
一般的な蒸着源においては、容器に詰められた粉体を加熱するので、材料の温度上昇は材料そのものの熱伝導性に依存する部分が多い。また、容器の表面付近の材料が過度に加熱され、熱分解を起こす可能性があり、それを避けるため加熱温度を高くすることができなかった。
【０２２８】
したがって、加熱温度が高くなるほど蒸着速度も速くなるが、上述した理由から加熱温度を高くできないので、高速の蒸着速度を得ることは困難であった。
【０２２９】
一方、本実施の形態の構成によれば、小片３ａ・３ｂ・４ａ・４ｂの表面に薄く付着した材料を小片３ａ・３ｂ・４ａ・４ｂからの熱伝導によって効率よく加熱できるので、材料そのものの熱伝導性に依存する部分が少なく、また加熱温度も高くすることができる。
【０２３０】
そのため、蒸着速度をより高めることができる。また、同時に、蒸着材料の熱分解の発生をより抑制することができる。
【０２３１】
また、本実施の形態においては、実施の形態１から３で示したような再昇華室や回収室などを余分に設ける必要が無い。そのため、装置構成をより簡素化することができる。
【０２３２】
本実施の形態においては、ノズル口２１を一つ有する蒸着材料収納部２ｃを用いたがこれに限らず、多数のノズル口が配置されていたり、または、スリット口を有する蒸着材料収納部であってもよい。
【０２３３】
但し、これらの構造においては、小片から昇華する蒸着材料の量のバラツキ等の影響により、各ノズル口やスリット口内の位置によって放出量が異ならないようにする必要がある。
【０２３４】
一例としては、ノズル口やスリット口と小片との間にメッシュ状の構造物を配置することによって、蒸着材料収納部内で昇華し、各ノズル口やスリット口を介して放出される材料の量を均一化する方法が挙げられる。
【０２３５】
本実施の形態の構成によれは、蒸着材料の回収と再利用を分離することなく、同時に実施することができる。
【０２３６】
〔実施の形態５〕
次に、図１２に基づいて、本発明の第５の実施形態について説明する。本実施の形態においては、真空蒸着装置１ｃに備えられた制御板２２が小片２２ａ・２２ｂで形成されている例を示しており、その他の構成については実施の形態１から３において説明したとおりである。説明の便宜上、上記の実施の形態１から３の図面に示した部材と同じ機能を有する部材については、同じ符号を付し、その説明を省略する。
【０２３７】
図１２は、制御板２２が小片２２ａ・２２ｂで形成されている真空蒸着装置１ｃの概略的な構成を示す図である。
【０２３８】
図示されているように、真空蒸着装置１ｃにおいては、蒸着材料収納部２ｄと蒸着マスク１１０との間に設けられた複数の制御板２２が、制御板間空間２３に入射した蒸着粒子を、その入射角度に応じて選択的に捕捉するので、マスク１１０の開口部には、所定の入射角度以下の蒸着粒子のみが入射されるようになっている。
【０２３９】
これにより、蒸着粒子の基板１０１に対する最大入射角度が小さくなるので、ホルダ１２０に保持された基板１０１に形成される被膜の端縁に生じるボヤケを抑制することができる。
【０２４０】
本実施の形態においては、制御板２２を実施の形態１において用いた小片２２ａ・２２ｂでの組み上げにて形成した。
【０２４１】
なお、図示されてないが、真空蒸着装置１ｃに備えられた防着板およびシャッタについても、例えば、実施の形態１において用いた小片での組み上げにて形成してもよい。
【０２４２】
これらの小片に付着した蒸着材料は、既に上述した方法で回収することができ、効率よく、且つ、低コストで蒸着材料を回収できる真空蒸着装置１ｃを実現できる。
【０２４３】
上記実施の形態１から５においては、一例として、有機ＥＬ表示装置の真空蒸着法による製造装置に関して詳述した。しかしながら、内容から明らかなように、本発明の方法は、真空蒸着法を用い、真空チャンバ内の構成物に付着した蒸着材料を効率よく簡便に回収、再利用する目的を有する様々な他の製造装置、およびそれを用いた製造物に対して適用することができる。
【０２４４】
本発明の蒸着装置は、所定期間においては、少なくとも上記蒸着材料収納部から第１の方向に放出される蒸着粒子は、上記蒸着材料収納部と上記基板との間に備えられ、且つ、上記蒸着装置から取り外しできる第２の部材に蒸着され、上記第２の部材の少なくとも一部は、複数個の上記小片が連結されてなることが好ましい。
【０２４５】
上記構成によれば、上記第２の部材、例えば、シャッタ部の少なくとも一部も、複数個の上記小片を連結して形成している。
【０２４６】
上記第２の部材は、上記蒸着装置から取り外しでき、上記第２の部材を構成する小片同士も容易に分解できる。
【０２４７】
したがって、さらに効率よく、且つ、低コストで蒸着材料を回収できる蒸着装置を実現できる。
【０２４８】
本発明の蒸着装置においては、上記第１の部材は、上記蒸着粒子によって上記蒸着室が汚染されるのを防止するための防着板であってもよい。
【０２４９】
本発明の蒸着装置においては、上記第１の部材は、上記蒸着材料収納部から蒸着粒子が放出される開口部と上記基板との間に備えられ、且つ、上記基板の法線方向に直交する方向に沿って、上記開口部を間に挟むように所定間隔で形成された複数の制御板であってもよい。
【０２５０】
上記構成によれば、上記蒸着粒子が比較的大量に蒸着されると想定される防着板や制御板の少なくとも一部を、複数個の上記小片を連結して形成している。
【０２５１】
そして、上記小片同士は容易に分解できる。
【０２５２】
したがって、さらに効率よく、且つ、低コストで蒸着材料を回収できる蒸着装置を実現できる。
【０２５３】
本発明の蒸着装置においては、上記蒸着源は、上記小片が複数個格納された格納部材を格納可能に形成されていることが好ましい。
【０２５４】
上記の構成によれば、上記格納部材にて多量の蒸着材料が蒸着された複数の小片を一度に加熱することができ、回収および再利用する蒸着材料を簡便に再昇華することができる。
【０２５５】
また、上記蒸着装置に備えられた蒸着源は、蒸着材料が蒸着された小片が複数個格納された格納部材を格納可能に形成されているので、材料回収と再利用を同時に行うことができる。
【０２５６】
本発明の回収装置においては、上記第１の捕捉部は、上記蒸着装置に備えられた蒸着材料収納部に連結されており、上記第１の捕捉部を捕捉した蒸着粒子の昇華温度以上で加熱することによって、上記蒸着材料収納部に上記捕捉した蒸着粒子を供給することが好ましい。
【０２５７】
上記構成によれば、昇華部と第１の捕捉部とが備えられており、上記第１の捕捉部は、上記蒸着材料収納部に連結されているため、昇華部における蒸着粒子の昇華工程と、上記第１の捕捉部における上記昇華された蒸着粒子を捕捉する工程並びに、上記第１の捕捉部において捕捉された蒸着粒子を上記蒸着材料収納部へ供給する工程を分離することができ、回収装置のスループットを向上することができる。
【０２５８】
また、上記構成によれば、上記第１の捕捉部で捕捉した蒸着粒子を上記蒸着装置に備えられた蒸着材料収納部にそのまま供給できるので、効率よく、且つ、低コストで蒸着材料を回収できる回収装置を実現できる。
【０２５９】
本発明の回収装置においては、上記第１の捕捉部は、上記蒸着源であってもよい。
【０２６０】
上記構成によれば、上記第１の捕捉部から上記蒸着源に上記捕捉した蒸着粒子を供給する工程時間を省くことができるので、回収装置のスループットをさらに向上することができる。
【０２６１】
本発明の回収装置においては、上記第１の捕捉部には、上記蒸着装置の蒸着源に備えられた蒸着材料収納部に格納できる蒸着材料回収容器が備えられており、上記蒸着材料回収容器に、上記捕捉した蒸着粒子が回収されることが好ましい。
【０２６２】
上記構成によれば、上記第１の捕捉部においては、上記蒸着材料収納部に格納できる蒸着材料回収容器が備えられており、上記蒸着材料回収容器に、上記捕捉した蒸着粒子が回収されるようになっている。
【０２６３】
したがって、蒸着材料が回収された蒸着材料回収容器を上記蒸着装置に備えられた上記蒸着材料収納部に格納して、そのまま使用することができるので、回収装置のスループットを向上することができる。
【０２６４】
本発明の回収装置においては、上記小片および上記格納部材の少なくとも一方は、導電性材料で形成されており、通電によるジュール熱によって加熱を行い、上記小片に蒸着された蒸着粒子を昇華させることが好ましい。
【０２６５】
上記構成によれば、上記小片に蒸着した蒸着材料を効率よく加熱することが可能である。
【０２６６】
本発明の回収装置においては、上記小片および上記格納部材は、上記昇華部内に配置され、上記昇華部の壁面を加熱することにより、上記小片に蒸着された蒸着粒子を昇華させることが好ましい。
【０２６７】
上記構成によれば、上記昇華部そのもので上記小片および上記格納部材の加熱を行うため、上記小片および上記格納部材に別途加熱装置を設ける必要がない。
【０２６８】
本発明の回収装置においては、上記小片には、少なくとも２種類の異なる蒸着粒子が蒸着されており、上記昇華部の壁面は、上記小片に蒸着された１種類の蒸着粒子のみが昇華される温度に加熱されていることが好ましい。
【０２６９】
本発明の回収装置においては、上記小片には、少なくとも２種類の異なる蒸着粒子が蒸着されており、上記小片および上記格納部材の少なくとも一方は、上記小片に蒸着された１種類の蒸着粒子のみが昇華される温度に加熱されていることが好ましい。
【０２７０】
上記構成によれば、上記小片に蒸着された１種類の蒸着粒子のみが昇華されるので、上記小片に少なくとも２種類の異なる蒸着粒子が混合して蒸着した場合でも分離回収を行うことができる。
【０２７１】
本発明の回収装置においては、上記小片には、少なくとも２種類の異なる蒸着粒子が蒸着されており、上記昇華部と上記第１の捕捉部との間には、分離部が備えられており、上記分離部は、上記昇華部において昇華された少なくとも２種類の異なる蒸着粒子と接する温度調整が可能な複数の内壁を有するとともに、上記内壁の温度は、上記昇華された少なくとも２種類の異なる蒸着粒子の昇華温度中、最も低い温度以上、２番目に低い温度未満で設定されており、上記昇華部において昇華された上記少なくとも２種類の異なる蒸着粒子は、上記分離部を介して、上記第１の捕捉部に供給されることが好ましい。
【０２７２】
上記構成によれば、上記昇華室にて複数種類の蒸着粒子が昇華している状態においても、上記分離部を利用して、効果的に蒸着粒子を分離回収することができる。
【０２７３】
本発明の回収装置においては、上記分離部の内壁に蒸着した蒸着粒子が１種類である場合には、上記内壁の温度を上記２番目に低い温度以上に設定することにより、上記分離部の内壁に蒸着した蒸着粒子は昇華され、上記第１の捕捉部とは異なる第２の捕捉部に供給されることが好ましい。
【０２７４】
本発明の回収装置においては、上記分離部の内壁に蒸着した蒸着粒子が、２種類以上である場合には、上記内壁の温度を、上記分離部の内壁に蒸着した２種類以上の蒸着粒子の昇華温度中、最も低い温度以上、２番目に低い温度未満に設定することにより、上記分離部の内壁に蒸着した上記２種類以上の蒸着粒子中、１種類の蒸着粒子のみが昇華され、上記第１の捕捉部とは異なる第２の捕捉部に供給されることが好ましい。
【０２７５】
上記構成によれば、上記分離部に蒸着された蒸着粒子を効果的に分離回収することができる。
【０２７６】
本発明は上記した各実施の形態に限定されるものではなく、請求項に示した範囲で種々の変更が可能であり、異なる実施の形態にそれぞれ開示された技術的手段を適宜組み合わせて得られる実施の形態についても本発明の技術的範囲に含まれる。
【産業上の利用可能性】
【０２７７】
本発明は、蒸着装置や蒸着材料を回収する回収装置などに適用することができる。
【符号の説明】
【０２７８】
１、１ａ、１ｂ、１ｃ          真空蒸着装置（蒸着装置）
２                            蒸着材料収納部
３                            防着板
３ａ・３ｂ                    小片
４                            シャッタ
４ａ・４ｂ                    小片
５、５ａ                      真空チャンバ（蒸着室）
７、７ａ                      ストッカ（格納部材）
１０、１０ａ、１０ｂ、１０ｃ  昇華精製装置（回収装置）
１１                          再昇華室（昇華部）
１２、１２ａ、１２ｂ          収容室（捕捉部）
１３、１３ａ、１３ｂ、１３ｃ  蒸着源
１４                          ヒータ
１５                          配管
１６、１６ａ、１６ｂ          配管
１７                          電源
１８                          分離室（分離部）
１８ａ                        内壁
１９ａ・１９ｂ                配管
２０                          配管
２１                          ノズル口（開口部）
２２                          制御板
２２ａ、２２ｂ                小片
１０１                        基板
１１０                        シャドウマスク
【図１】
2012073908.tif 000003
【図２】
2012073908.tif 000004
【図３】
2012073908.tif 000005
【図４】
2012073908.tif 000006
【図５】
2012073908.tif 000007
【図６】
2012073908.tif 000008
【図７】
2012073908.tif 000009
【図８】
2012073908.tif 000010
【図９】
2012073908.tif 000011
【図１０】
2012073908.tif 000012
【図１１】
2012073908.tif 000013
【図１２】
2012073908.tif 000014
【図１３】
2012073908.tif 000015
【図１４】
2012073908.tif 000016
【図１５】
2012073908.tif 000017
【図１６】
2012073908.tif 000018
【手続補正書】
【提出日】平成25年4月3日(2013.4.3)
【手続補正１】
【補正対象書類名】特許請求の範囲
【補正対象項目名】全文
【補正方法】変更
【補正の内容】
【特許請求の範囲】
【請求項１】
蒸着室において、蒸着源に備えられた蒸着材料収納部から放出された蒸着粒子を、基板上に蒸着させる蒸着装置であって、
上記蒸着材料収納部から第１の方向に放出される蒸着粒子は、上記基板上に蒸着され、
上記第１の方向とは異なる第２の方向に放出される蒸着粒子は、上記蒸着装置から取り外しできる第１の部材に蒸着され、
上記第１の部材の少なくとも一部は、複数個の小片が連結されてなり、
上記小片の各々には、上記小片同士を連結および分解できる連結部が備えられており、
上記蒸着源は、上記小片が複数個格納された格納部材を格納可能に形成されていることを特徴とする蒸着装置。
【請求項２】
所定期間においては、少なくとも上記蒸着材料収納部から第１の方向に放出される蒸着粒子は、上記蒸着材料収納部と上記基板との間に備えられ、且つ、上記蒸着装置から取り外しできる第２の部材に蒸着され、
上記第２の部材の少なくとも一部は、複数個の上記小片が連結されてなり、
上記蒸着源は、上記小片が複数個格納された格納部材を格納可能に形成されていることを特徴とする請求項１に記載の蒸着装置。
【請求項３】
上記第１の部材は、上記蒸着粒子によって上記蒸着室が汚染されるのを防止するための防着板であることを特徴とする請求項１または２に記載の蒸着装置。
【請求項４】
上記第１の部材は、上記蒸着材料収納部から蒸着粒子が放出される開口部と上記基板との間に備えられ、且つ、上記基板の法線方向に直交する方向に沿って、上記開口部を間に挟むように所定間隔で形成された複数の制御板であることを特徴とする請求項１または２に記載の蒸着装置。
【請求項５】
蒸着装置の蒸着室において、蒸着源に備えられた蒸着材料収納部から放出された蒸着粒子を、基板上に蒸着させ、
上記蒸着材料収納部から第１の方向に放出される蒸着粒子は、上記基板上に蒸着され、
上記第１の方向とは異なる第２の方向に放出される蒸着粒子は、上記蒸着装置から取り外しできる第１の部材に蒸着され、
上記第１の部材の少なくとも一部は、複数個の小片が連結されてなり、
上記小片の各々には、上記小片同士を連結および分解できる連結部が備えられており、
上記蒸着装置に備えられた上記小片が複数個格納された格納部材と、
上記小片および上記格納部材の少なくとも一方を加熱することによって、上記小片に蒸着された蒸着粒子を昇華させる昇華部と、
上記昇華された蒸着粒子を捕捉する第１の捕捉部と、を備えていることを特徴とする回収装置。
【請求項６】
蒸着装置の蒸着室において、蒸着源に備えられた蒸着材料収納部から放出された蒸着粒子を、基板上に蒸着させ、
上記蒸着材料収納部から第１の方向に放出される蒸着粒子は、上記基板上に蒸着され、
上記第１の方向とは異なる第２の方向に放出される蒸着粒子は、上記蒸着装置から取り外しできる第１の部材に蒸着され、
上記第１の部材の少なくとも一部は、複数個の小片が連結されてなり、
上記小片の各々には、上記小片同士を連結および分解できる連結部が備えられている上記蒸着装置と、
上記蒸着装置に備えられた蒸着室において、蒸着粒子が蒸着された小片が複数個格納された格納部材と、
上記小片および上記格納部材の少なくとも一方を加熱することによって、上記小片に蒸着された蒸着粒子を昇華させる昇華部と、
上記昇華された蒸着粒子を捕捉する第１の捕捉部と、を備えていることを特徴とする回収装置。
【請求項７】
所定期間においては、少なくとも上記蒸着材料収納部から第１の方向に放出される蒸着粒子は、上記蒸着材料収納部と上記基板との間に備えられ、且つ、上記蒸着装置から取り外しできる第２の部材に蒸着され、
上記第２の部材の少なくとも一部は、複数個の上記小片が連結されてなることを特徴とする請求項５または６に記載の回収装置。
【請求項８】
上記蒸着装置における上記第１の部材は、上記蒸着粒子によって上記蒸着室が汚染されるのを防止するための防着板であることを特徴とする請求項５から７の何れか１項に記載の回収装置。
【請求項９】
上記蒸着装置における上記第１の部材は、上記蒸着材料収納部から蒸着粒子が放出される開口部と上記基板との間に備えられ、且つ、上記基板の法線方向に直交する方向に沿って、上記開口部を間に挟むように所定間隔で形成された複数の制御板であることを特徴とする請求項５から７の何れか１項に記載の回収装置。
【請求項１０】
上記第１の捕捉部は、上記蒸着装置に備えられた蒸着材料収納部に連結されており、
上記第１の捕捉部を捕捉した蒸着粒子の昇華温度以上で加熱することによって、上記蒸着材料収納部に上記捕捉した蒸着粒子を供給することを特徴とする請求項６に記載の回収装置。
【請求項１１】
上記第１の捕捉部は、上記蒸着源であることを特徴とする請求項６に記載の回収装置。
【請求項１２】
上記第１の捕捉部には、上記蒸着装置の蒸着源に備えられた蒸着材料収納部に格納できる蒸着材料回収容器が備えられており、
上記蒸着材料回収容器に、上記捕捉した蒸着粒子が回収されることを特徴とする請求項５または６に記載の回収装置。
【請求項１３】
上記小片および上記格納部材の少なくとも一方は、導電性材料で形成されており、通電によるジュール熱によって加熱を行い、上記小片に蒸着された蒸着粒子を昇華させることを特徴とする請求項５から１２の何れか１項に記載の回収装置。
【請求項１４】
上記小片および上記格納部材は、上記昇華部に配置され、
上記昇華部の壁面を加熱することにより、上記小片に蒸着された蒸着粒子を昇華させることを特徴とする請求項５から１２の何れか１項に記載の回収装置。
【請求項１５】
上記小片には、少なくとも２種類の異なる蒸着粒子が蒸着されており、
上記昇華部の壁面は、上記小片に蒸着された１種類の蒸着粒子のみが昇華される温度に加熱されていることを特徴とする請求項１４に記載の回収装置。
【請求項１６】
上記小片には、少なくとも２種類の異なる蒸着粒子が蒸着されており、
上記小片および上記格納部材の少なくとも一方は、上記小片に蒸着された１種類の蒸着粒子のみが昇華される温度に加熱されていることを特徴とする請求項５から１３の何れか１項に記載の回収装置。
【請求項１７】
上記小片には、少なくとも２種類の異なる蒸着粒子が蒸着されており、
上記昇華部と上記第１の捕捉部との間には、分離部が備えられており、
上記分離部は、上記昇華部において昇華された少なくとも２種類の異なる蒸着粒子と接する温度調整が可能な複数の内壁を有するとともに、上記内壁の温度は、上記昇華された少なくとも２種類の異なる蒸着粒子の昇華温度中、最も低い温度以上、２番目に低い温度未満で設定されており、
上記昇華部において昇華された上記少なくとも２種類の異なる蒸着粒子は、上記分離部を介して、上記第１の捕捉部に供給されることを特徴とする請求項５から１４の何れか１項に記載の回収装置。
【請求項１８】
上記分離部の内壁に蒸着した蒸着粒子が１種類である場合には、上記内壁の温度を上記２番目に低い温度以上に設定することにより、上記分離部の内壁に蒸着した蒸着粒子は昇華され、上記第１の捕捉部とは異なる第２の捕捉部に供給されることを特徴とする請求項１７に記載の回収装置。
【請求項１９】
上記分離部の内壁に蒸着した蒸着粒子が、２種類以上である場合には、上記内壁の温度を、上記分離部の内壁に蒸着した２種類以上の蒸着粒子の昇華温度中、最も低い温度以上、２番目に低い温度未満に設定することにより、上記分離部の内壁に蒸着した上記２種類以上の蒸着粒子中、１種類の蒸着粒子のみが昇華され、上記第１の捕捉部とは異なる第２の捕捉部に供給されることを特徴とする請求項１７に記載の回収装置。
【手続補正書】
【提出日】平成25年6月18日(2013.6.18)
【手続補正１】
【補正対象書類名】特許請求の範囲
【補正対象項目名】全文
【補正方法】変更
【補正の内容】
【特許請求の範囲】
【請求項１】
蒸着室において、蒸着源に備えられた蒸着材料収納部から放出された蒸着粒子を、基板上に蒸着させる蒸着装置であって、
上記蒸着材料収納部から第１の方向に放出される蒸着粒子は、上記基板上に蒸着され、
上記第１の方向とは異なる第２の方向に放出される蒸着粒子は、上記蒸着装置から取り外しできる第１の部材に蒸着され、
上記第１の部材の少なくとも一部は、複数個の小片が連結されてなり、
上記小片の各々には、上記小片同士を連結および分解できる連結部が備えられており、
上記蒸着源は、上記小片が複数個格納された格納部材を格納可能に形成されていることを特徴とする蒸着装置。
【請求項２】
所定期間においては、少なくとも上記蒸着材料収納部から第１の方向に放出される蒸着粒子は、上記蒸着材料収納部と上記基板との間に備えられ、且つ、上記蒸着装置から取り外しできる第２の部材に蒸着され、
上記第２の部材の少なくとも一部は、複数個の上記小片が連結されてなり、
上記蒸着源は、上記小片が複数個格納された格納部材を格納可能に形成されていることを特徴とする請求項１に記載の蒸着装置。
【請求項３】
上記第１の部材は、上記蒸着粒子によって上記蒸着室が汚染されるのを防止するための防着板であることを特徴とする請求項１または２に記載の蒸着装置。
【請求項４】
上記第１の部材は、上記蒸着材料収納部から蒸着粒子が放出される開口部と上記基板との間に備えられ、且つ、上記基板の法線方向に直交する方向に沿って、上記開口部を間に挟むように所定間隔で形成された複数の制御板であることを特徴とする請求項１または２に記載の蒸着装置。
【請求項５】
蒸着装置の蒸着室において、蒸着源に備えられた蒸着材料収納部から放出された蒸着粒子を、基板上に蒸着させ、
上記蒸着材料収納部から第１の方向に放出される蒸着粒子は、上記基板上に蒸着され、
上記第１の方向とは異なる第２の方向に放出される蒸着粒子は、上記蒸着装置から取り外しできる第１の部材に蒸着され、
上記第１の部材の少なくとも一部は、複数個の小片が連結されてなり、
上記小片の各々には、上記小片同士を連結および分解できる連結部が備えられており、
上記蒸着装置に備えられた上記小片が複数個格納された格納部材と、
上記小片および上記格納部材の少なくとも一方を加熱することによって、上記小片に蒸着された蒸着粒子を昇華させる昇華部と、
上記昇華された蒸着粒子を捕捉する第１の捕捉部と、を備えていることを特徴とする回収装置。
【請求項６】
蒸着装置の蒸着室において、蒸着源に備えられた蒸着材料収納部から放出された蒸着粒子を、基板上に蒸着させ、
上記蒸着材料収納部から第１の方向に放出される蒸着粒子は、上記基板上に蒸着され、
上記第１の方向とは異なる第２の方向に放出される蒸着粒子は、上記蒸着装置から取り外しできる第１の部材に蒸着され、
上記第１の部材の少なくとも一部は、複数個の小片が連結されてなり、
上記小片の各々には、上記小片同士を連結および分解できる連結部が備えられている上記蒸着装置と、
上記蒸着装置に備えられた蒸着室において、蒸着粒子が蒸着された上記小片が複数個格納された格納部材と、
上記小片および上記格納部材の少なくとも一方を加熱することによって、上記小片に蒸着された蒸着粒子を昇華させる昇華部と、
上記昇華された蒸着粒子を捕捉する第１の捕捉部と、を備えていることを特徴とする回収装置。
【請求項７】
所定期間においては、少なくとも上記蒸着材料収納部から第１の方向に放出される蒸着粒子は、上記蒸着材料収納部と上記基板との間に備えられ、且つ、上記蒸着装置から取り外しできる第２の部材に蒸着され、
上記第２の部材の少なくとも一部は、複数個の上記小片が連結されてなることを特徴とする請求項５または６に記載の回収装置。
【請求項８】
上記蒸着装置における上記第１の部材は、上記蒸着粒子によって上記蒸着室が汚染されるのを防止するための防着板であることを特徴とする請求項５から７の何れか１項に記載の回収装置。
【請求項９】
上記蒸着装置における上記第１の部材は、上記蒸着材料収納部から蒸着粒子が放出される開口部と上記基板との間に備えられ、且つ、上記基板の法線方向に直交する方向に沿って、上記開口部を間に挟むように所定間隔で形成された複数の制御板であることを特徴とする請求項５から７の何れか１項に記載の回収装置。
【請求項１０】
上記第１の捕捉部は、上記蒸着装置に備えられた蒸着材料収納部に連結されており、
上記第１の捕捉部を捕捉した蒸着粒子の昇華温度以上で加熱することによって、上記蒸着材料収納部に上記捕捉した蒸着粒子を供給することを特徴とする請求項６に記載の回収装置。
【請求項１１】
上記第１の捕捉部は、上記蒸着源であることを特徴とする請求項６に記載の回収装置。
【請求項１２】
上記第１の捕捉部には、上記蒸着装置の蒸着源に備えられた蒸着材料収納部に格納できる蒸着材料回収容器が備えられており、
上記蒸着材料回収容器に、上記捕捉した蒸着粒子が回収されることを特徴とする請求項５または６に記載の回収装置。
【請求項１３】
上記小片および上記格納部材の少なくとも一方は、導電性材料で形成されており、通電によるジュール熱によって加熱を行い、上記小片に蒸着された蒸着粒子を昇華させることを特徴とする請求項５から１２の何れか１項に記載の回収装置。
【請求項１４】
上記小片および上記格納部材は、上記昇華部に配置され、
上記昇華部の壁面を加熱することにより、上記小片に蒸着された蒸着粒子を昇華させることを特徴とする請求項５から１２の何れか１項に記載の回収装置。
【請求項１５】
上記小片には、少なくとも２種類の異なる蒸着粒子が蒸着されており、
上記昇華部の壁面は、上記小片に蒸着された１種類の蒸着粒子のみが昇華される温度に加熱されていることを特徴とする請求項１４に記載の回収装置。
【請求項１６】
上記小片には、少なくとも２種類の異なる蒸着粒子が蒸着されており、
上記小片および上記格納部材の少なくとも一方は、上記小片に蒸着された１種類の蒸着粒子のみが昇華される温度に加熱されていることを特徴とする請求項５から１３の何れか１項に記載の回収装置。
【請求項１７】
上記小片には、少なくとも２種類の異なる蒸着粒子が蒸着されており、
上記昇華部と上記第１の捕捉部との間には、分離部が備えられており、
上記分離部は、上記昇華部において昇華された少なくとも２種類の異なる蒸着粒子と接する温度調整が可能な複数の内壁を有するとともに、上記内壁の温度は、上記昇華された少なくとも２種類の異なる蒸着粒子の昇華温度中、最も低い温度以上、２番目に低い温度未満で設定されており、
上記昇華部において昇華された上記少なくとも２種類の異なる蒸着粒子は、上記分離部を介して、上記第１の捕捉部に供給されることを特徴とする請求項５から１４の何れか１項に記載の回収装置。
【請求項１８】
上記分離部の内壁に蒸着した蒸着粒子が１種類である場合には、上記内壁の温度を上記２番目に低い温度以上に設定することにより、上記分離部の内壁に蒸着した蒸着粒子は昇華され、上記第１の捕捉部とは異なる第２の捕捉部に供給されることを特徴とする請求項１７に記載の回収装置。
【請求項１９】
上記分離部の内壁に蒸着した蒸着粒子が、２種類以上である場合には、上記内壁の温度を、上記分離部の内壁に蒸着した２種類以上の蒸着粒子の昇華温度中、最も低い温度以上、２番目に低い温度未満に設定することにより、上記分離部の内壁に蒸着した上記２種類以上の蒸着粒子中、１種類の蒸着粒子のみが昇華され、上記第１の捕捉部とは異なる第２の捕捉部に供給されることを特徴とする請求項１７に記載の回収装置。
【国際調査報告】
2012073908.tif 000019
2012073908.tif 000020
2012073908.tif 000021
2012073908.tif 000022